(57)【要約】【課題】  使用する検査具の種類を自動的に検出し、医師が行おうとしている検査の種類を容易にファイリングシステムに入力可能とし、また、所見の入力画面の選択も同時に簡略化することのできる医療用画像ファイリングシステムを提供する。【解決手段】  内視鏡システムに内蔵されるＥＥＰＲＯＭは、内視鏡の種類や製造番号が格納されている。ファイリングシステムは、この情報を読み取り、内視鏡の種類や製造番号から、これから医師が使用としている検査種別を特定し、この検査種別に適合した画面を表示する。【選択図】      図６
2005143782.tif 000002
【特許請求の範囲】
【請求項１】
医療用画像撮像手段が撮像した画像データをデータ入力手段から入力されたデータと共に記録、管理する医療用画像ファイリングシステムにおいて、
該医療用画像撮像手段の種類を示す情報を取得する情報取得手段と、
該医療用画像撮像手段の種類に基づいて、行われる可能性のある検査種別を決定する決定手段と、
該決定手段により決定された検査種別に適合するように画面構成を設定する設定手段と、
を備えることを特徴とする医療用画像ファイリングシステム。
【請求項２】
前記画面構成は、検査の結果を報告するための文書を作成する画面であることを特徴とする請求項１に記載の医療用画像ファイリングシステム。
【請求項３】
前記画面構成は、印刷を行うための印刷フォーマットに基づく画面であることを特徴とする請求項１又は２に記載の医療用画像ファイリングシステム。
【請求項４】
前記画面構成は、前記医療用画像撮像手段が撮像した画像を表示する検査画面であることを特徴とする請求項１、２又は３に記載の医療用画像ファイリングシステム。
【請求項５】
前記画面構成は、適合する複数の検査種別を表示可能であり、ユーザに検査種別を選択させることにより、該選択された検査種別に適合した入出力画面を表示することを特徴とする請求項１に記載の医療用画像ファイリングシステム。
【請求項６】
前記画面構成においては、ユーザが文章を入力する際に選択可能なキーワードを列挙する表示画面を有し、該ユーザは、キーワードを順次選択することにより、文章の入力を行うことを特徴とする請求項１に記載の医療用画像ファイリングシステム。
【請求項７】
前記キーワードの表示画面は、選択された検査種別に適したキーワードを表示するように、該検査種別の指定に従って自動的に切り替えられることを特徴とする請求項６に記載の医療用画像ファイリングシステム。
【請求項８】
医療用画像撮像手段が撮像した画像データをデータ入力手段から入力されたデータと共に記録、管理する医療用画像ファイリングシステムにおける表示方法において、
該医療用画像撮像手段の種類を示す情報を取得する情報取得ステップと、
該医療用画像撮像手段の種類に基づいて、行われる可能性のある検査種別を決定する決定ステップと、
該決定ステップにより決定された検査種別に適合するように画面構成を設定する設定ステップと、
を備えることを特徴とする表示方法。
【請求項９】
医療用画像撮像手段が撮像した画像データをデータ入力手段から入力されたデータと共に記録、管理する医療用画像ファイリングシステムにおける表示方法において、
該医療用画像撮像手段の種類を示す情報を取得する情報取得ステップと、
該医療用画像撮像手段の種類に基づいて、行われる可能性のある検査種別を決定する決定ステップと、
該決定ステップにより決定された検査種別に適合するように画面構成を設定する設定ステップと、
を備えることを特徴とする表示方法をコンピュータに実現させるプログラム。
【発明の詳細な説明】
【技術分野】
【０００１】
本発明は、内視鏡などの撮像装置で撮像した医療用画像データを保管、管理する医療用画像ファイリングシステムに関する。
【背景技術】
【０００２】
近年、データ処理技術の発展により、医療などの現場で撮影された画像をデジタル画像データとして保管、管理することが行われている。更に、画像データを保管、管理するにあたって、その画像の診断結果をメモとして電子データに取り込み、画像データと合わせて保管することも行われている。
【０００３】
このようなシステムの利用が普及するにあたり、医師などの、内視鏡などを使って患部を撮像し、併せてその患部の診断を行い、その画像に診断結果をテキストとして付加し、ファイリングを可能とするシステムに対し、医師などの作業を簡単化するための機能を付加する要求が高まっている。
【０００４】
その中の一つに、医師が画像を見て、所見をシステムに入力する際に、検査部位に従って、良く使われる用語を医師にリストとして提示し、医師がこれらのリストから最適な言葉を選択して、所見の文章を組み立てるというシステムも考えられ始めている。
特許文献１には、内視鏡毎に検査での利用状況や洗浄状態などを管理し、スムーズな内視鏡検査が行える内視鏡用データファイリングシステムが開示されている。
【０００５】
また、特許文献２には、画像データを格納する際に、その画像を撮像した内視鏡の固有情報を画像データと関連付けて保存するシステムが開示されている。
【特許文献１】特開２００１−４６３２６号公報
【特許文献２】特開平１１−９９１２５号公報
【発明の開示】
【発明が解決しようとする課題】
【０００６】
しかし、現在のシステムでは、ある特定の検査を内視鏡等を使用して行う場合、どのような検査を行うかは医師がいちいち端末から入力しなければならず、手間がかかっていた。また、ある特定の検査を行った場合、その所見の入力は、医師が端末を操作し、必要な入力画面を表示させてから入力しなければならなかった。
【０００７】
本発明の課題は、使用する検査具の種類を自動的に検出し、医師が行おうとしている検査の種類を容易にファイリングシステムに入力可能とし、また、所見の入力画面の選択も同時に簡略化することのできる医療用画像ファイリングシステムを提供することである。
【課題を解決するための手段】
【０００８】
本発明の医療用医療用画像ファイリングシステムは、画像撮像手段が撮像した画像データをデータ入力手段から入力されたデータと共に記録、管理する医療用画像ファイリングシステムにおいて、該医療用画像撮像手段の種類を示す情報を取得する情報取得手段と、該医療用画像撮像手段の種類に基づいて、行われる可能性のある検査種別を決定する決定手段と、該決定手段により決定された検査種別に適合するように画面構成を設定する設定手段とを備えることを特徴とする。
【０００９】
本発明の表示方法は、医療用画像撮像手段が撮像した画像データをデータ入力手段から入力されたデータと共に記録、管理する医療用画像ファイリングシステムにおける表示方法において、該医療用画像撮像手段の種類を示す情報を取得する情報取得ステップと、該医療用画像撮像手段の種類に基づいて、行われる可能性のある検査種別を決定する決定ステップと、該決定ステップにより決定された検査種別に適合するように画面構成を設定する設定ステップとを備えることを特徴とする。
【００１０】
本発明のプログラムは、医療用画像撮像手段が撮像した画像データをデータ入力手段から入力されたデータと共に記録、管理する医療用画像ファイリングシステムにおける表示方法において、該医療用画像撮像手段の種類を示す情報を取得する情報取得ステップと、該医療用画像撮像手段の種類に基づいて、行われる可能性のある検査種別を決定する決定ステップと、該決定ステップにより決定された検査種別に適合するように画面構成を設定する設定ステップとを備えることを特徴とする表示方法をコンピュータに実現させることを特徴とする。
【発明の効果】
【００１１】
本発明によれば、ファイリングシステムが自動的に検査具を検出し、これに適した入力画面や表示画面を自動的に医師に提示し、医師が容易に必要事項をファイリングシステムに入力可能とすることができる。
【発明を実施するための最良の形態】
【００１２】
図１は、病院内などに設けられる医療用画像ファイリングシステムの全体構成を示す図である。
ファイリングシステム１は、複数の端末がバス３によって接続された構成となっている。端末２は、ファイリングシステム１に格納されているデータを参照しようとする場合に使用される端末である。点線で囲まれている部分５、７、９は、病院における各診療科に配置される装置を示している。例えば、５の診療科では、内視鏡を使った検査を行っているとすると、端末４は、内視鏡の撮像画像を表示したり、医師の所見を入力したりして、検査レポートを作成する端末である。７の診療科においても、検査にあたって得られた画像を表示し、所見を入力して検査レポートを作成する端末６が設けられている．
電子カルテシステム８は、例えば、病院の受付などに配置され、どの患者がどの診療科の診察を受けるかをスケジューリングし、各診療科５、７、９の端末に、診療を受ける患者の情報を送信するシステムである。
【００１３】
図２は、診療科に設けられるシステムの構成を示す図である。
バス１３には、さまざまな装置が接続される。データ送受信用端末１８は、電子カルテシステムから患者に関するデータを受け取ったり、他の診療科のデータにアクセスするための端末である。プリンタ１９は、一般にデータ送受信用端末１８が受け取ったデータを印刷したり、その他汎用的にデータを印刷するのに使用される。検査装置用端末１２は、検査具の制御や取得したデータを処理する端末である。今の場合、検査具は内視鏡検査装置１１であり、内視鏡検査装置１１によって撮像された画像が検査装置用端末１２に取り込まれる。また、検査装置用端末１２は、内視鏡検査装置１１のＥＥＰＲＯＭに格納された情報から内視鏡検査装置１１の種類を特定するなどの処理も行う。
【００１４】
レポート入出力用端末１４は、検査を行った医師が所見などを入力し、レポートを作成するための端末である。作成されたレポートは、サーバ１５やＤＶＤ制御用端末１７に送られる。またレポート入出力用端末１４によって作成されたレポートは、これに接続されたプリンタ１９ｂによって印刷が可能である。サーバ１５は、検査によって得られた所見を記載したレポートなどのデータを保管し、プリンタ１９ａを使って印刷する。サーバ１５には、この診療科において作成されたレポートがデータベースとして格納される。また、ＤＶＤ制御用端末１７は、ＤＶＤチェンジャー１６に搭載されるＤＶＤに検査で得られた画像データを格納したり、ＤＶＤに格納されている画像データを読み出したりする。通常、検査で得られた画像データは、所見のテキストに添付されて完全なレポートとなるが、画像データは、メモリの容量を多く取るので、ＤＶＤに格納するようにしている。そして、レポートを表示する場合には、特定のレポートの読み出しの際に、このレポートに関連付けられた画像データをＤＶＤから読み出し、レポートに添付してレポート入出力用端末１４に表示し、印刷可能とする。
【００１５】
図３は、レポート入出力用端末の構成を示す図である。
レポート入出力用端末は、通常の汎用コンピュータでよいが、例えば、構成は、図３のようになる。すなわち、データ制御部２６がさまざまなデータ処理を行い、必要に応じてデータをデータ記憶部２５に格納したり、データ記憶部２５から読み出したりする。データ入力部２２には、マウスやキーボードが接続され、医師が所見を入力可能となっている。また、データ表示部２４は、ＰＣモニタに接続され、画像データを表示したり、レポートの入力フォーマットを表示するなどする。ネットワークＩ／Ｆ２１は、バスを介して他の装置をデータをやり取りするためのインターフェースである。プリンタＩ／Ｆ２３にはプリンタが接続され、完成したレポートや過去のレポートなどが印刷される。
【００１６】
図４は、内視鏡システムの構成図である。
図４に示すように、内視鏡システム７０−ａは、被検体内に挿入される内視鏡３０と、この内視鏡３０に接続され、信号処理等を行うビデオプロセッサ３１と、信号処理された映像信号が入力されることにより、対応する内視鏡画像を表示する観察モニタ３２とから構成される。
【００１７】
ビデオプロセッサ３１は光源部３３と、信号処理部３４とを有し、内視鏡３０のコネクタ３５が接続されると、光源部３３は内視鏡３０に照明光を供給する。つまり、ビデオプロセッサ３１の光源部３３内に設けた光源ランプ３６から出力される白色光を光源ランプ３６の前面に設けられた面順次フィルタ３７を経て内視鏡３０のライトガイド３８に入力するようになっている。
【００１８】
面順次フィルタ３７にはＲフィルタ３９−Ｒ、Ｇフィルタ３９−Ｇ、Ｂフィルタ３９−Ｂが設けられており、モータ等のフィルタ駆動部４０を駆動させることにより面順次フィルタ３７は一定速度で回転され、光源ランプ３６に対向する光路上に配置されるフィルタが順次換えられることにより、光源ランプ３６に対向する位置にその端面が配置されたライトガイド３８にＲ、Ｇ，Ｂの光を順次入力する。
【００１９】
内視鏡３０のライトガイド３８は操作部４１と、この操作部４１の前端に設けられた可撓性を有する挿入部４２内を挿通され、ライトガイド３８により伝送されたＲ，Ｇ，Ｂの照明光は挿入部４２の先端部４３の照明窓から照明レンズ４４を経て前方を出射され、被検体内の患部等の観察部位側に出射され、観察部位をＲ，Ｇ，Ｂの面順次光で照明する。
【００２０】
先端部４３には照明窓に隣接して観察窓が設けてあり、この観察窓に取り付けた対物レンズ４５により、その結像位置に観察部位の光学像を結ぶ。この結像位置には固定撮像素子として例えばＣＣＤ４６が配置され、このＣＣＤ４６によりＲ，Ｇ，Ｂの面順次の照明光のもとで結像された光学像は光電変換されてＲ，Ｇ，Ｂの撮像信号となる。
【００２１】
このＣＣＤ４６は信号線４７によりビデオプロセッサ３１に接続されており、Ｒ，Ｇ，Ｂの撮像信号はビデオプロセッサ３１の信号処理部３４に入力される。体腔内等に挿入される挿入部４２の後端部の操作部４１には、レリーズ動作を行う指示スイッチとしてのレリーズスイッチ４８が設けられており、このレリーズスイッチ４８は例えば操作部４１内に設けたＣＰＵ４９に接続されている。
【００２２】
ＣＰＵ４９には電気的に書き換え可能な不揮発性メモリとしてのＥＥＰＲＯＭ（electrically erasable programmable ROM）５０が接続されており、データの書き込み及び読み出しが行える。
このＥＥＰＲＯＭ５０は、これを設けた内視鏡３０毎にその内視鏡固有の情報が予め書き込んであり、このＥＥＰＲＯＭ５０からその情報を読み出すことにより、内視鏡の種類（機種）が同じものでも、識別することができる識別情報の発生手段を形成している。また、このＥＥＰＲＯＭ５０には固有の使用状況に関する固有情報が記憶されている。そして、固有情報を読み出して前記識別情報と共に対応付けて記憶手段に記憶することにより、各内視鏡を一元的に管理できるようにしている。
【００２３】
ＣＰＵ４９にはインターフェース（Ｉ／Ｆと略記）５１が接続されている。更に操作部４１の後端部に設けられるコネクタ３５をビデオプロセッサ３１に接続することによって、Ｉ／Ｆ５１はビデオプロセッサ３１（内のＩ／Ｆ６１）に接続されるようになっている。
【００２４】
ＣＣＤ４６で光電変換された信号はバッファ回路５２に入力され、このバッファ回路５２の出力信号はＡ／Ｄ変換器５３に入力され、Ｒ，Ｇ，Ｂの面順次光のもとで撮像したＲ，Ｇ，Ｂの撮像信号（ビデオ信号）はデジタル信号に変換される。
Ａ／Ｄ変換器５３の出力信号は切り替え回路５４にを切り替えることにより、Ｒビデオ信号、Ｇビデオ信号、Ｂビデオ信号はそれぞれＲメモリ５５−Ｒ、Ｇメモリ５５−Ｇ、Ｂメモリ５５−Ｂに入力され、一時格納される。
【００２５】
Ｒメモリ５５−Ｒ、Ｇメモリ５５−Ｇ、Ｂメモリ５５−Ｂに一時格納されたビデオ信号を同期信号に同期した所定のタイミングで同時に読み出して出力することにより、同時化されたカラー画像信号（標準的な映像信号）を出力する。
Ｒメモリ５５−Ｒ、Ｇメモリ５５−Ｇ、Ｂメモリ５５−Ｂから出力されたカラー画像信号はＤ／Ａ変換器５６−Ｒ、５６−Ｇ、５６−Ｂでアナログ信号に変換された後、文字重畳回路５７で所定の文字情報が付加された後、ケーブル５８を介して映像出力端（ビデオ出力端）から観察モニタ３２に出力され、術者はこの観察モニタ３２に表示される内視鏡画像を観察して患部等の観察部位に対する診断等を行うことができるようにしている。
【００２６】
ビデオプロセッサ３１内には同期信号発生回路５９が設けられており、フィルタ駆動部４０を駆動させるタイミングパルスを送出している。このタイミングに合わせて切り替え回路５４の切り替えを行い、Ｒ，Ｇ，Ｂビデオ信号をＲメモリ５５−Ｒ、Ｇメモリ５５−Ｇ、Ｂメモリ５５−Ｂにそれぞれ入力できるようになっている。また、同期信号発生回路５９の同期信号はケーブル５８を介して映像出力端（の同期信号出力端）から観察モニタ３２にも出力される。
【００２７】
ビデオプロセッサ３１内にはＩ／Ｆ６１、ＣＰＵ６２、ＲＯＭ６３、ＲＡＭ６４、キャラクタＲＯＭ６５、キーボードＩ／Ｆ６６、通信Ｉ／Ｆ６７が設けられており、これらはバス６８を介してそれぞれ接続されている。
ＣＰＵ６２はＲＯＭ６３からプログラムを読み出し、ビデオプロセッサ３１内の制御を行う。また、ＲＡＭ６４に対してデータの書き込み、読み出しを行う。ビデオプロセッサ３１内のＩ／Ｆ６１は内視鏡３０内のＩ／Ｆ５１に接続されており、ビデオプロセッサ３１内のＣＰＵ６２は内視鏡３０内のＣＰＵ４９との間で制御信号、データの送受信を行う。
【００２８】
また、キーボードＩ／Ｆ６６にはキーボード６９が接続されており、データやコマンドの入力を行うことができる。通信Ｉ／Ｆ６７は通信Ｉ／Ｆ８０と接続されており、制御信号、データの送受信を行う。
ＣＰＵ６２はキーボード６９などとの間で入出力された制御信号やデータに基づき、キャラクタＲＯＭ６５の読み出しを行う。キャラクタＲＯＭ６５より読み出された文字データは文字重畳回路５７でＲＧＢビデオ信号に重畳され、観察モニタ４２に表示される。
【００２９】
図５〜図１０は、本発明の実施形態に従った医療用画像ファイリングシステムの表示画像例や印刷フォーマット例を示した図である。
図５は、検査中の表示例を示す図である。
図５のウィンドウには、検査の流れを示すボタン９０が設けられている。現在検査の流れの中で、どのステップを行うかによって対応するボタンを押すようにする。これにより、当該ステップにおいて必要な入力フォーマットや出力データが提示される。ボタン９１は、ファイリングシステムの終了ボタンと、管理メニューの表示ボタンである。ボタン９３は、図５の中央に表示される観察画像（ライブ画像）のうち、記録しておきたい画像を撮影するためのボタンである。ここでは、観察画像として上部消化管の画像が映し出されている。
【００３０】
ここでは、具体的には情報が提示されていないが、実際には、患者情報や検査情報が表示される。
本実施形態では、内視鏡システムのＥＥＰＲＯＭのデータから取得した内視鏡の種類（機種）に基づいて、行われる可能性のある検査種別を判別し、この検査種別に適合した検査画面が表示されるようになっている。図５の検査画面は、上部消化管を検査するための内視鏡が接続されているため、検査種別として上部消化管に適合した検査画面となっている。
【００３１】
図６は、レポート作成画面例を示す図である。
９０、９１のボタンは、ファイリングシステムを使っている画面では常に表示される。９５の欄には、患者基本情報として、患者の住所、氏名、既往歴などが表示される。９６の欄では、検査依頼元から、当該患者に対してどのような検査を行って欲しいかと言う指示が示される。９７の欄には、検査の依頼元、通常他の診療科の名前が表示される。９８ａの欄には、複数の部位の診断を総合した全体的な診断結果が入力される。例えば、食道に「食道裂孔ヘルニア」がみられ、胃には特に問題がない場合、「内視鏡診断」は「食道裂孔ヘルニア」となり、その詳細は、９８ｄの欄を見ることになる。９８ｂの欄は、検査の結果次に何をするべきかについて記述する。９８ｃは、検査を行った結果の所見が記載される。９８ｄには、所見に基づいて診断した結果を入力する。９８ｅには、行った処置を記載し、９８ｆには、その他のコメントを記載する。
【００３２】
９９ａ〜９９ｄは、各ウィンドウのタブであり、内視鏡システムのＥＥＰＲＯＭのデータから内視鏡の種類を判別し、その結果検査が行われる可能性のある部位（検査種別）を示している。医師は、この複数のタブの中から自分の行う検査の対象部位を選択して、入力ウィンドウを開く。
【００３３】
１０８の欄は、内視鏡システムのＥＥＰＲＯＭのデータから取得した内視鏡の種類（機種）に基づいて、行われる可能性のある検査種別を判別し、この検査種別を表示している。この検査では上部消化管用の内視鏡が接続されているため、上部消化管と表示されている。上部消化管は、検査部位として喉頭、食道、胃、十二指腸があるため、９９ａ〜９９ｄの４つのタブにそれぞれの部位が表示される。このように上部消化管に関しては、複数の検査部位が想定されるため、例えば、初期設定として食道が設定され、図６に示すような食道の検査に適合したレポート作成画面が表示されるようになっている。
【００３４】
１００のウィンドウは、所見や診断、処置、コメントの欄に記載する場合に使用されるキーワードを列挙したものであり、内視鏡の種類に応じて判別された検査種別に対応したキーワードが表示される。図６では、検査種別として上部消化管の食道が選択され、食道の検査に対応したキーワードが表示されており、医師はこの欄からキーワードを選択しながらそれぞれの欄に記入を行う。
【００３５】
１０７のウィンドウには、検査において撮像された画像１０６ａ〜１０６ｃが表示される。また、１０１のボタンは、レポートの内容を確認するためにレポート内容を再表示させるボタンである。１０２のボタンはレポートの印刷ボタンであり、１０３のボタンは、レポートのデータをサーバに送る場合に押すボタンである。１０４のボタンはレポートデータの保存ボタンである。１０５のボタンは、患者に診断の説明をするため、患者の医学知識に合わせたレポートを印刷するボタンである。
【００３６】
このように、本実施形態では、ファイリングシステムが内視鏡のＥＥＰＲＯＭの情報を読み取って、検査に使用される内視鏡の種類を特定し、特定された種類の内視鏡で検査が行われる可能性のある部位（検査種別）を特定して、医師にそのリストと入力ウィンドウを提示する。したがって、医師は、自分で検査部位を入力し、必要なウィンドウを表示する必要が無く、簡単に検査結果を入力するための画面を表示することができる。
【００３７】
図７は、本発明の実施形態に従った別の画面表示例を示す図である。
なお、図７においては、図６と同じ部分には、同じ参照番号を付し、説明を省略する。
図７においては、内視鏡の種類の決定によって得られる検査の可能性のある部位を表示する方法が異なる。内視鏡の種類に基づき検査種別を判別し、１０８’のウィンドウの上には、検査種別として「上部消化管」と表示され、１０８’のウィンドウは、プルダウンメニューの形になっており、咽頭、食道、胃、十二指腸から医師が選択できるようなっている。医師が、プルダウンメニューから検査を行う部位を選択すると、所見等の入力欄が、その部位に適合した入力フォーマットに変わるというものである。
【００３８】
図８及び図９は、医師による所見その他の入力画面例である。
図８において、ウィンドウ１１０は、ＭＳＴ（Minimal Standard Terminology）を使った、文章の入力用ウィンドウである。ウィンドウ１００において「食道裂孔ヘルニア」を選択すると、この食道裂孔ヘルニアに関連するＭＳＴ入力ウィンドウ１１０が表示され、関連した１１１ａ〜１１１ｃのウィンドウが表示される。１１１ａのウィンドウは、検査した時に発見された異常部位の大きさ／体積に関するキーワードが列挙される。１１１ｂには、異常部位の長さ、１１１ｃには、裂孔の長さのキーワードが列挙される。１１２の欄は、完成した文章が表示される部分である。入力が終われば、１１３のＯＫボタンを押し、入力を中断するのであれば、１１４のキャンセルを押す。
【００３９】
図９では、完成した文章がキーワードの選択によって構成されていることを示している。１１１ｂと１１１ｃの入力では、具体的な数値は手入力している。
図１０は、検査種別に応じた印刷フォーマットによる診断書の例を示す図である。
それぞれ患者情報、依頼情報、検査情報、レポート情報が記載されると共に、検査の際に撮像された画像も添付される。レポート情報部分には、キーワードを使って作成された所見等が記載されている。
【００４０】
本実施形態では、内視鏡システムのＥＥＰＲＯＭのデータから取得した内視鏡の種類（機種）に基づいて、行われる可能性のある検査種別を判別しておき、診断書等を印刷する際には、この検査種別に適合した印刷フォーマットを読み出して印刷画面を表示するようになっている。図１０のような診断書を印刷する場合は、上部消化管用の内視鏡が接続されているため、検査種別として上部消化管に適合した印刷フォーマットが読み出されて図１０と同様の印刷画面が表示され、印刷を指示するボタン（図示せず）をクリックすることで印刷が行われる。
【００４１】
図１１は、本発明の実施形態の概略フローチャートである。
このフローチャートにおいては、機材情報（例えば、内視鏡の種類）から検査種別を判定し、検査種別に合わせた画面構成を設定するための方法を示している。
ステップＳ１０においては、機器情報を取得する。前述の例でいえば、内視鏡システムのＥＥＰＲＯＭから内視鏡の種類を取得する。ステップＳ１１においては、機器情報から検査種別を検索する。該当する検査種別が存在する場合には、ステップＳ１３に進む。ステップＳ１１において、該当する検査種別が存在しないと判断された場合には、ステップＳ１２において、機器情報を新たに登録してステップＳ１３に進む。
【００４２】
ステップＳ１３では、検査種別をシステムに設定し、ステップＳ１４において、画面移動し、ステップＳ１５において、検査種別により画面構成を設定し、処理を終了する。この画面構成を設定するというのは、前述の、内視鏡の種類によって、行われる可能性のある検査種別（部位）を特定し、これを医師に提示して、その検査部位に適した、所見などの入力画面を表示することを示している。この設定された画面構成は、例えば、前述の図５〜１０の画面である。
【００４３】
図１２は、本発明の実施形態に従った報告書作成画面及び印刷画面の表示フローチャートである。
図１２においては、機材情報から検査種別を判定し、検査種別に合わせた報告書作成画面を表示する方法を示している。
【００４４】
ステップＳ２０において、検査を開始する。ステップＳ２１において、機器情報を取得し、ステップＳ２２において、機器情報から検査種別を検索し、該当種別がある場合にはステップＳ２４に進み、該当種別が無い場合には、ステップＳ２３において、機器情報登録を行って、ステップＳ２４に進む。ステップＳ２４では、検査種別をシステムに設定し、ステップＳ２５において、検査が終了すると、ステップＳ２６において、報告書作成画面表示指示を出す。ステップＳ２７においては、図６〜９に示すように検査種別毎の報告書作成画面を表示し、ステップＳ２８において、印刷画面表示を指示し、ステップＳ２９において、図１０と同様の検査種別毎の印刷画面を表示して処理を終了する。
【００４５】
図１３は、本発明の実施形態に従った検査画面を表示するためのフローチャートである。
図１３は、機材情報から検査種別を判定し、検査種別に合わせた検査画面を表示する方法である。
【００４６】
ステップＳ４０において、機器情報を取得し、ステップＳ４１において、機器情報から検査種別を検索し、該当種別がある場合には、そのままステップＳ４３に進む。ステップＳ４１において、該当する種別が無いと判断された場合には、ステップＳ４２において、機器情報を登録し、ステップＳ４３に進む。ステップＳ４３においては、検査種別を設定し、ステップＳ４４においては、検査を開始する。ステップＳ４５において、図５に示すように検査種別ごとの検査画面を表示し、ステップＳ４６で検査が終了したら処理を終了する。
【００４７】
図１４は、検査種別を判定するためのテーブルの例を示す図である。
図１４においては、内視鏡の機種名、製造番号、検査種別、初期設定が対応付けられて格納されている。本発明の実施形態に従ったファイリングシステムでは、内視鏡システムのＥＥＰＲＯＭに格納されている機種名と製造番号を読み取り、図１４のようなテーブルを参照して、検査種別を決定する。なお、１種類の内視鏡で複数の検査種別が考えられる場合には、初期設定として、可能な検査種別から１つを設定しておく。例えば、上部消化管という検査種別には、咽頭、食道、胃、十二指腸球部が含まれるので，医師がこれらの中から１つを選択するようにする。初期設定はユーザが設定可能とする。
【００４８】
図１５は、本発明の実施形態に従った、内視鏡情報から検査種別を判定し、検査を行う処理の詳細なフローチャートである。
ステップＳ５０において、ＥＥＰＲＯＭから機種名、製造番号を取得する。ステップＳ５１において、機種名、製造番号はシステムに未登録か否かを判断する。ステップＳ５１の判断がＮｏの場合には、ステップＳ５３に進む。ステップＳ５１の判断がＹｅｓの場合には、ステップＳ５２において、機種名、製造番号の登録を行って、ステップＳ５３に進む。ステップＳ５３では、機種名、製造番号に対する検査部位が未登録か否かについて判断する。ステップＳ５３の判断がＮｏの場合には、ステップＳ５５に進む。ステップＳ５３の判断がＹｅｓの場合には、ステップＳ５４において、検査部位の登録を行い、ステップＳ５５に進む。ステップＳ５５においては、検査種別を設定し、ステップＳ５６〜ステップＳ５９の検査ループを行う。検査ループにおいては、画像撮影（ステップＳ５７）、画像保存（ステップＳ５８）などを行う。そして、検査終了ボタンが押されると、処理を終了する。
【００４９】
図１６は、本発明の実施形態に従った画面表示を行う場合のフローチャートである。
ステップＳ６５において、検査種別を保持しているか否かを判断する。ステップＳ６５の判断がＮｏの場合には、ステップＳ６８に進む。ステップＳ６５の判断がＹｅｓの場合には、ステップＳ６６において、検査種別毎のページを表示するか否かを判断する。ステップＳ６６の判断がＮｏの場合には、ステップＳ６８に進む。ステップＳ６６の判断がＹｅｓの場合には、ステップＳ６７に進む。ステップＳ６８では、各検査共通の画面構成を表示してステップＳ６９に進む。ステップＳ６７では、検査種別に合わせて画面構成を設定し、この画面構成を表示し、ステップＳ６９に進む。ステップＳ６９〜ステップＳ７１のループにおいては、ステップＳ７０の画面内でのさまざまな処理をループして実行する。終了ボタンが押されると処理を終了する。
【００５０】
図１７は、図１６のステップＳ６７の詳細なフローチャートである。
ステップＳ７５において、検査種別は上部消化管か否かを判断する。ステップＳ７５の判断がＹｅｓの場合には、ステップＳ７６において、検査種別「上部消化管」の画面構成を表示する。ステップＳ７５の判断がＮｏの場合には、ステップＳ７７において、検査種別は食道か否かを判断する。ステップＳ７７の判断がＹｅｓの場合には、ステップＳ７８において、検査種別「食道」の画面構成を表示する。ステップＳ７７の判断がＮｏの場合には、ステップＳ７９において、検査種別は胃か否かを判断する。ステップＳ７９の判断がＹｅｓの場合には、ステップＳ８０において、検査種別「胃」の画面構成を表示する。ステップＳ７９の判断がＮｏの場合には、ステップＳ８１において、検査種別は十二指腸か否かを判断する。ステップＳ８１の判断がＹｅｓの場合には、ステップＳ８２において、検査種別「十二指腸」の画面構成を表示する。ステップＳ８１の判断がＮｏの場合には、ステップＳ８３において、検査種別は胆道か否かを判断する。ステップＳ８３の判断がＹｅｓの場合には、ステップＳ８４において、検査種別「胆道」の画面構成を表示する。ステップＳ８３の判断がＮｏの場合には、ステップＳ８５において、検査種別は肺か否かを判断する。ステップＳ８５の判断がＹｅｓの場合には、ステップＳ８６において、検査種別「肺」の画面構成を表示する。ステップＳ８５の判断がＮｏの場合には、ステップＳ８7において、検査種別は大腸か否かを判断する。ステップＳ８７の判断がＹｅｓの場合には、ステップＳ８８において、検査種別「大腸」の画面構成を表示する。ステップＳ８７の判断がＮｏの場合には、ステップＳ８９において、各検査共通の画面構成を表示する。
【図面の簡単な説明】
【００５１】
【図１】病院内などに設けられる医療用画像ファイリングシステムの全体構成を示す図である。
【図２】診療科に設けられるシステムの構成を示す図である。
【図３】レポート入出力用端末の構成を示す図である。
【図４】内視鏡システムの構成図である。
【図５】本発明の実施形態に従った医療用画像ファイリングシステムの検査画面を示した図である。
【図６】本発明の実施形態に従った医療用画像ファイリングシステムのレポート作成画面を示した図（その１）である。
【図７】本発明の実施形態に従った医療用画像ファイリングシステムのレポート作成画面を示した図（その２）である。
【図８】本発明の実施形態に従った医療用画像ファイリングシステムのレポート作成画面を示した図（その３）である。
【図９】本発明の実施形態に従った医療用画像ファイリングシステムのレポート作成画面を示した図（その４）である。
【図１０】本発明の実施形態に従った医療用画像ファイリングシステムの印刷フォーマット例を示した図である。
【図１１】本発明の実施形態の概略フローチャートである。
【図１２】本発明の実施形態に従った報告書作成画面及び印刷画面の表示フローチャートである。
【図１３】本発明の実施形態に従った検査画面を表示するためのフローチャートである。
【図１４】検査種別を判定するためのテーブルの例を示す図である。
【図１５】本発明の実施形態に従った、内視鏡情報から検査種別を判定し、検査を行う処理の詳細なフローチャートである。
【図１６】本発明の実施形態に従った画面表示を行う場合のフローチャートである。
【図１７】図１６のステップＳ６７の詳細なフローチャートである。
【符号の説明】
【００５２】
９８ａ      内視鏡診断入力欄
９８ｂ      検査後指示入力欄
９８ｃ      所見入力欄
９８ｄ      診断内容入力欄
９８ｅ      処置入力欄
９８ｆ      コメント入力欄
９９ａ〜９９ｄ      検査種別選択タブ
【図１】
2005143782.tif 000003
【図２】
2005143782.tif 000004
【図３】
2005143782.tif 000005
【図４】
2005143782.tif 000006
【図５】
2005143782.tif 000007
【図６】
2005143782.tif 000008
【図７】
2005143782.tif 000009
【図８】
2005143782.tif 000010
【図９】
2005143782.tif 000011
【図１０】
2005143782.tif 000012
【図１１】
2005143782.tif 000013
【図１２】
2005143782.tif 000014
【図１３】
2005143782.tif 000015
【図１４】
2005143782.tif 000016
【図１５】
2005143782.tif 000017
【図１６】
2005143782.tif 000018
【図１７】
2005143782.tif 000019